(57)【要約】【課題】ガス圧力調整器内蔵の閉止弁の断線を検出し、断線検出した情報を無線通信によってガスメータへ送り、ガスメータ内蔵の遮断弁を閉弁すること。【解決手段】開閉弁１と、開閉弁１の故障を検出する開閉弁故障検出手段２と、開閉弁故障検出手段２が検出した故障あり情報を無線通信でガスメータ宛に送信する子機無線送信手段３を有するガス圧力調整器４と、子機無線送信手段３によって送信された故障あり情報をガスメータ側で受信する親機無線受信手段５と、前記故障あり情報を受信すると遮断弁７を閉弁する遮断弁遮断制御手段６とを有するガスメータ８とを備え、開閉弁故障検出手段２が開閉弁１の故障を検出すると、子機無線送信手段３と、親機無線受信手段５とを経由して故障ありを伝え、遮断弁遮断制御手段６によって遮断弁７を遮断することが可能になり、安全性を向上できる。【選択図】図１
2008256391.tif 000002
【特許請求の範囲】
【請求項１】
ガスボンベ等に接続されたガス供給経路の途中にガス圧を調整するガス圧調整器ユニットとガスメータを配置し、
ガス圧調整器ユニットには、供給ガス圧を所定のガス圧に調整するガス圧調整器と、ガス供給経路を遮断する開閉弁と、前記開閉弁の故障を検出する開閉弁故障検出手段と、前記開閉弁故障検出手段が検出した故障あり情報を無線通信でガスメータに送信する子機無線送信手段とを備え、
ガスメータには、ガス供給経路を遮断する遮断弁と、前記子機無線送信手段によって送信された故障あり情報をガスメータ側で受信する親機無線受信手段と、前記故障あり情報を受信すると前記遮断弁を閉弁する遮断弁遮断制御手段とを備えたガス遮断装置。
【請求項２】
ガスボンベ等に接続されたガス供給経路の途中にガス圧を調整するガス圧調整器ユニットとガスメータを配置し、
ガスメータには、ガス供給経路を遮断する遮断弁と、前記遮断弁の故障を検出する遮断弁故障検出手段と、前記遮断弁故障検出手段が検出した故障あり情報を無線通信でガス圧調整器ユニットに送信する親機無線送信手段とを備え、
前記ガス圧調整器ユニットには、供給ガス圧を所定のガス圧に調整するガス圧調整器と、ガス供給経路を遮断する開閉弁と、前記親機無線送信手段によって送信された故障あり情報を受信する子機無線受信手段と、前記故障あり情報を受信すると前記開閉弁を閉弁する開閉弁遮断制御手段とを備えたガス遮断装置。
【請求項３】
ガスメータは、所定の周期でガス圧調整器ユニットの動作状態の点検指示を行うガス圧調整器点検指示手段と、ガス圧力調整器ユニットの点検結果の解析を行う結果解析手段とを備え、
ガス圧調整器ユニットは、ガスメータからの点検指示により点検動作と点検結果作成を行う点検制御手段を備え、
前記親機無線送信手段、親機受信手段、子機無線送信手段、子機無線受信手段とによって相互に通信する請求項１または２記載のガス遮断装置。
【請求項４】
ガス圧調整器点検指示手段の点検指示時期をある一定の間隔の値や指定した日時を外部より設定する点検指示設定手段を備えた請求項３記載のガス遮断装置。
【請求項５】
請求項１〜４のいずれか１項に記載のガス遮断装置における機能の少なくとも一部をコンピュータに実行させるためのプログラム。
【発明の詳細な説明】
【技術分野】
【０００１】
本発明は、ＬＰガスなどを利用するガス器具において、ガスによる爆発事故や火災事故、中毒事故などを未然に防止するガス遮断装置に関するものである。
【背景技術】
【０００２】
従来、この種のガス遮断装置としては、ガス流路に流れるガスの流量を検出する流量センサと、流量センサが検出したガスの流れを流量信号として発信する流量信号発信器と、流量センサの上流側に設けられ、ガス流路のガス圧を検出する圧力センサと、圧力センサが検出した圧力変動を圧力信号として発信する圧力信号発信器と、流量信号発信器と圧力信号発信器とに電気的に接続した演算手段とからなるガス漏洩検知装置において、上記演算手段は、流量信号発信器からの流量信号の有無を判断する流量信号判断手段と、圧力信号発信器からの圧力信号をの変動を判断する圧力信号判断手段と、流量信号判断手段により流量信号が「無」と判断されたときに、圧力信号判断手段で判断した圧力変動を参照し、圧力変動が予め定めた一定範囲内であると判断すると、漏洩信号を発信する漏洩判断手段と、からなるガス漏洩検知装置が開示されている（特許文献１参照）。
【０００３】
また、通過ガス量に対応した流量信号を出力する流量測定部と、装置から下流側のガス通路を遮断開放する遮断部と、流量信号を監視し特定調査期間の間に流量信号が存在しない無流量時間帯を検出して保持し以後無流量時間帯になると圧力検査要求信号を出力する流量無し学習部と、無流量時間帯でかつ流量信号を受信しないときに遮断部へガス通路を遮断指示し圧力の変動を検出する圧力検知部に遮断したガス通路が所定時間内に所定値以上の圧力低下をしていないかを検知指示する圧力検査部とを備えたガス遮断装置が開示されている（例えば、特許文献２参照）。
【特許文献１】特開平６−２５８１７０号公報
【特許文献２】特開平８−１２１７６３号公報
【発明の開示】
【発明が解決しようとする課題】
【０００４】
しかしながら、前記従来の構成には、ガスメータより上流側にガス圧調整器と遮断弁を設け、ガスメータから送信される流量信号や、上流側に設けた圧力センサからの信号により、異常時に遮断弁を作動させガス流路を遮断する構成が開示されているものの、上流側に配置されたガス圧調整器側と下流側に配置されたガスメータ側の両方に遮断弁を配置する構成の開示はない。
【０００５】
そして、従来構成おいては、遮断弁が何らかの異常、例えば断線等でガス流路の遮断ができない状態になったとき、万一異常事態が発生すると、異常状態が継続することになり、ガス漏れ等、ガスの流出を伴う異常時にあってはガスを遮断することができず、危険な状態を招く恐れがあり、また、遮断事象が発生し異常状態をセンターへ発呼できたとしても、その間のガスを遮断することができないという課題を有していた。
【０００６】
本発明は、前記従来の課題を解決するもので、ガス圧調整器ユニットとガスメータ内にそれぞれガス遮断手段を設けると共に、定期的に確認するガス遮断手段の確認結果情報を無線通信で相互に送受信可能な構成としたもので、万一、どちらかの遮断手段が異常時に他の遮断手段を用いて異常時のガス遮断動作を確保するようにしたガス遮断装置を提供するものである。
【課題を解決するための手段】
【０００７】
前記従来の課題を解決するために本発明のガス遮断装置は、ガスボンベ等に接続されたガス供給経路の途中にガス圧を調整するガス圧調整器ユニットとガスメータを配置し、ガス圧調整器ユニットには、供給ガス圧を所定のガス圧に調整するガス圧調整器と、ガス供給経路を遮断する開閉弁と、前記開閉弁の故障を検出する開閉弁故障検出手段と、前記開閉弁故障検出手段が検出した故障あり情報を無線通信でガスメータに送信する子機無線送信手段とを備え、ガスメータには、ガス供給経路を遮断する遮断弁と、前記子機無線送信手段によって送信された故障あり情報をガスメータ側で受信する親機無線受信手段と、前記故障あり情報を受信すると前記遮断弁を閉弁する遮断弁遮断制御手段を備えたものである。
【０００８】
また、ガスメータには、ガス供給経路を遮断する遮断弁と、前記遮断弁の故障を検出する遮断弁故障検出手段と、前記遮断弁故障検出手段が検出した故障あり情報を無線通信でガス圧調整器ユニットに送信する親機無線送信手段とを備え、前記ガス圧調整器ユニットには、供給ガス圧を所定のガス圧に調整するガス圧調整器と、ガス供給経路を遮断する開閉弁と、前記親機無線送信手段によって送信された故障あり情報を受信する子機無線受信手段と、前記故障あり情報を受信すると前記開閉弁を閉弁する開閉弁遮断制御手段を備えたものである。
【０００９】
上記発明によれば、ガス圧調整器ユニットの開閉弁の故障検出が可能であり、またガスメータ内の遮断弁の故障検出が可能となり、ガス圧調整器ユニットの開閉弁が故障の場合はガスメータに故障情報を送信することでガスメータの遮断弁を用いて異常時のガス遮断を行うことができ、ガスメータ内の遮断弁が故障の場合にはガス圧調整器ユニットに故障情報を送信することでガス圧調整器ユニットの開閉弁を用いて異常時のガス遮断を行うことができるため、異常時のガス遮断機能を極めて高い水準で確保することができる。
【発明の効果】
【００１０】
本発明のガス遮断装置は、ガス供給経路に複数の遮断手段を配置し、無線通信手段を介して相互に情報伝達を可能な構成としたことにより、一方が故障した場合でも他方を用いて遮断機能を継続させることができ、異常時のガス遮断機能を極めて高い水準で確保することができる。
【発明を実施するための最良の形態】
【００１１】
第１の発明は、ガスボンベ等に接続されたガス供給経路の途中にガス圧を調整するガス圧調整器ユニットとガスメータを配置し、ガス圧調整器ユニットには、供給ガス圧を所定のガス圧に調整するガス圧調整器と、ガス供給経路を遮断する開閉弁と、前記開閉弁の故障を検出する開閉弁故障検出手段と、前記開閉弁故障検出手段が検出した故障あり情報を無線通信でガスメータに送信する子機無線送信手段とを備え、ガスメータには、ガス供給経路を遮断する遮断弁と、前記子機無線送信手段によって送信された故障あり情報をガスメータ側で受信する親機無線受信手段と、前記故障あり情報を受信すると前記遮断弁を閉弁する遮断弁遮断制御手段を備えたことを特徴とするものである。
【００１２】
そして、ガス圧調整器ユニットの開閉弁の故障が検出でき、故障あり情報を無線通信でガスメータへ送信し、ガスメータの遮断弁によってガスを遮断し、安全性を向上することができる。
【００１３】
第２の発明は、ガスボンベ等に接続されたガス供給経路の途中にガス圧を調整するガス圧調整器ユニットとガスメータを配置し、ガスメータには、ガス供給経路を遮断する遮断弁と、前記遮断弁の故障を検出する遮断弁故障検出手段と、前記遮断弁故障検出手段が検出した故障あり情報を無線通信でガス圧調整器ユニットに送信する親機無線送信手段とを備え、前記ガス圧調整器ユニットには、供給ガス圧を所定のガス圧に調整するガス圧調整
器と、ガス供給経路を遮断する開閉弁と、前記親機無線送信手段によって送信された故障あり情報を受信する子機無線受信手段と、前記故障あり情報を受信すると前記開閉弁を閉弁する開閉弁遮断制御手段とを備えたことを特徴とするものである。
【００１４】
そして、ガスメータの遮断弁の故障が検出でき、故障あり情報を無線通信でガス圧力調整器へ送信し、ガス圧力調整器の開閉弁によってガスを遮断することで安全性を確保でき、相互を組み合わせることで安全性を更に向上することができる。
【００１５】
第３の発明は、ガスメータは、所定の周期でガス圧調整器ユニットの動作状態の点検指示を行うガス圧調整器点検指示手段と、ガス圧力調整器ユニットの点検結果の解析を行う結果解析手段とを備え、ガス圧調整器ユニットは、ガスメータからの点検指示により点検動作と点検結果作成を行う点検制御手段を備え、前記親機無線送信手段、親機受信手段、子機無線送信手段、子機無線受信手段とによって相互に通信することを特徴とするものである。
【００１６】
そして、所定の周期で定期的にガス圧調整器ユニットの開閉弁の点検を行うようにし、その結果より開閉弁の異常の有無を確認するようにしているため、事前に遮断手段の異常を検出することが可能となり、かつ、その情報をガスメータとの間で無線通信により送受信することで、異常時における遮断手段の変更が可能となり、ガス圧調整器ユニットの開閉弁とガスメータの遮断弁を相互を組み合わせることで安全性を更に向上することができる。
【００１７】
以下本発明の実施例について、図面を参照しながら説明する。なお、本実施の形態によって本発明が限定されるものではない。
【００１８】
（実施の形態１）
図１は、本発明の実施の形態１におけるガス遮断装置のブロック図である。
【００１９】
図１において、１は開閉弁、２は前記開閉弁の故障を検出する開閉弁故障検出手段、３は前記開閉弁故障検出手段が検出した故障あり情報を無線通信でガスメータ宛に送信する子機無線送信手段、４はガス圧力調整器ユニットで４ａがガス圧調整器、５は前記子機無線送信手段によって送信された故障あり情報をガスメータ側で受信する親機無線受信手段、６は前記故障あり情報を受信すると遮断弁を閉弁する遮断弁遮断制御手段、７は遮断弁、８はガスメータで構成している。
【００２０】
以上のように構成されたガス遮断弁について、以下その動作、作用を説明する。
【００２１】
まず、ガス調整器ユニット４内の開閉弁１が、例えば断線故障すると、開閉弁故障検出手段２がこれを検出する。前記開閉弁故障検出手段２は、検出した断線故障あり情報を子機送信手段３に伝え、子機無線送信手段３を経由してガスメータ８へ送信する。そしてガスメータ８内の親機無線受信手段５によって断線故障あり情報を受信し、遮断弁遮断制御手段６に伝える。遮断弁遮断制御手段６は断線故障あり情報を受けて、遮断弁を閉止することになる。
【００２２】
以上のように、本実施例においてはガス圧力調整器４の開閉弁１に開閉弁故障検出手段２を搭載し、故障検出結果を無線通信でガスメータに伝えることにより、ガスメータ内の遮断弁遮断制御手段６が開閉弁故障を検出して遮断弁を遮断し、ガス調整器が故障した場合でもガスメータ側でガスを遮断することができる。
【００２３】
また、本実施例では故障検出に着眼したが、ガス調整器に圧力状態などの動作状態を監
視する動作監視手段を設ければ、ガス圧力調整器の動作状態をガスメータへ送信することが可能となり、ガスメータ側でガス圧力調整器の状態を監視することもできる。
【００２４】
（実施の形態２）
図２は、本発明の実施の形態２におけるガス遮断装置のブロック図である。
【００２５】
図２において、９はガスメータ８に内蔵の遮断弁７の故障を検出する遮断弁故障検出手段、１０は前記遮断弁故障検出手段９が検出した故障あり情報を無線通信でガス圧力調整器４宛に送信する親機無線送信手段、１１は前記親機無線送信手段によって送信された故障あり情報を受信する子機無線受信手段、１２は前記故障あり情報を受信するとガス圧力調整器４内蔵の開閉弁１を閉弁する開閉弁遮断制御手段で構成している。
【００２６】
以上のように構成されたガス遮断弁について、以下その動作、作用を説明する。
【００２７】
まず、ガスメータ８内の遮断弁７が例えば断線故障すると、遮断弁故障検出手段９がこれを検出する。前記遮断弁故障検出手段９は、検出した断線故障あり情報を親機送信手段１０に伝え、親機無線送信手段１０を経由してガス圧力調整器ユニット４へ送信する。そして、ガス圧力調整器ユニット４内の子機無線受信手段１１によって断線故障あり情報を受信し、開閉弁遮断制御手段１２に伝える。開閉弁遮断制御手段１２は断線故障あり情報を受けて、開閉弁を閉止することになる。
【００２８】
以上のように、本実施例においてはガスメータ８の遮断弁７に遮断弁故障検出手段９を搭載し、故障検出結果を無線通信でガス圧力調整器ユニット４に伝えることにより、ガス圧力調整器ユニット４内の開閉弁遮断制御手段１２が遮断弁７の故障を検出して開閉弁を遮断し、ガスメータが故障した場合でもガス圧力調整器側でガスを遮断することができる。
【００２９】
（実施の形態３）
図３は、本発明の実施の形態３におけるガス遮断装置のブロック図である。
【００３０】
図３において、１３はガスメータ８に内蔵した一定の間隔でガス圧調整器ユニット４の動作状態の点検指示を行うガス圧調整器点検指示手段、１４は点検結果を解析する点検結果解析手段、１５はガス圧力調整器ユニット４に内蔵したガス圧調整器点検指示手段１３の点検指示により点検動作と点検結果作成を行う点検制御手段で構成している。
【００３１】
以上のように構成されたガス遮断弁について、以下その動作、作用を説明する。
【００３２】
まず、ガスメータ８内のガス圧調整器点検指示手段１３により、一定の間隔（例えば１日毎）のタイミングでガス圧力調整器４の動作状態の点検を行う指示を出す。前記ガス圧調整器点検指示手段１３の点検指示を親機無線送信手段１０によってガス圧調整器４へ送信する。前記点検指示を子機無線受信手段１１で受信し、点検制御手段１５に伝える。
【００３３】
点検制御手段１５は、例えばガス圧力調整器ユニット４内蔵の開閉弁１の断線故障が発生していないかどうかを判断したり、例えば圧力調整値（圧力値）の計測を行う。そして、点検制御手段１５の点検結果を子機無線送信手段３を経由してガスメータ８に送信する。  
【００３４】
ガスメータ８では、親機無線受信手段５が点検結果を受信し、点検結果解析手段１４で点検結果を解析し、もしも開閉弁１が断線故障していることを検出した場合、遮断制御手段６へ遮断指示を出し、遮断弁７を遮断する。
【００３５】
以上のように、本実施例においてはガス圧調整器点検指示手段１３を搭載することで一定の間隔でガス圧力調整器の動作状態を点検することにより、ガスメータ側でガス圧力調整器４の状態を定期的に監視することが可能となり、故障に至る経過や故障検出を行うことができる。
【００３６】
また、本実施例ではガス圧調整器点検指示手段１３の点検タイミングを一定間隔としたが、一定の間隔の値や指定した日時を外部より、例えば通信等を用いた遠隔設定する点検指示設定手段を設けることで、外部より任意の時間間隔や日時を指定することができ、ガス使用量の検針日等のタイミングに合わせて、ガス圧力調整器の動作状態を監視することも可能となる。
【産業上の利用可能性】
【００３７】
以上のように本発明によれば、ガス圧調整器ユニットとガスメータ内にそれぞれガス遮断手段を設けると共に、定期的に確認するガス遮断手段の確認結果情報を無線通信で相互に送受信可能な構成としたもので、万一、どちらかの遮断手段が異常時に他の遮断手段を用いて異常時のガス遮断動作を確保することができ、異常時の遮断機能を高めた遮断装置に適用することが可能となる。
【図面の簡単な説明】
【００３８】
【図１】本発明の実施の形態１におけるガス遮断装置のブロック図
【図２】本発明の実施の形態２におけるガス遮断装置のブロック図
【図３】本発明の実施の形態３におけるガス遮断装置のブロック図
【符号の説明】
【００３９】
１  開閉弁
２  開閉弁故障検出手段
３  子機無線送信手段
４  ガス圧調整器ユニット
４ａ  ガス圧調整器
５  親機無線受信手段
６  遮断弁遮断制御手段
７  遮断弁
９  遮断弁故障検出手段
１０  子機無線受信手段
１１  親機無線送信手段
１２  開閉弁遮断制御手段
【図１】
2008256391.tif 000003
【図２】
2008256391.tif 000004
【図３】
2008256391.tif 000005